(57)【要約】      （修正有）【課題】第三者による情報パターンの読み取りが困難で、情報パターンの読み取りと同時にその真贋（真偽）をも判定できる赤外吸収印刷物およびその読み取り方法を提供する。【解決手段】赤外線反射性を有する基材の一方もしくは両面に、所定の情報パターンを印刷形成してなる赤外吸収層と、その上に赤外線透過性を有するインクを用いて印刷形成された赤外透過層とを有する赤外吸収印刷物において、この印刷物の前記赤外吸収層の情報パターンを形成している所定の構成部分ごとに、含まれている赤外吸収体の赤外吸収ピーク波長が異なっている構成とする。また、この印刷物の情報パターンを読み取る際には、各赤外吸収体の赤外吸収ピーク波長と略同じ波長に発光のピークを有する光を順次照射する。そして、個々の赤外吸収体に対応する情報パターンの構成部分を順次読み取り、これらの順次読み取られた構成部分を足し合わせて一つの情報パターンとして読み取る。【選択図】図１
2006213017.tif 000002
【特許請求の範囲】
【請求項１】
赤外線に対して反射性を有する基材の一方もしくは両面に、赤外吸収体を含有したインクを用いて所定の情報パターンを印刷形成してなる赤外吸収層と、この赤外吸収層の存在が目視困難となるように該赤外吸収層の上に赤外線透過性を有するインクを用いて印刷形成された赤外透過層とを有する赤外吸収印刷物であって、
この印刷物の表面側もしくは裏面側から見て前記赤外吸収層の情報パターンを形成している所定の構成部分ごとに、含まれている赤外吸収体の赤外吸収ピーク波長が異なっていることを特徴とする赤外吸収印刷物。
【請求項２】
赤外吸収層中に含まれている赤外吸収体は、いずれも７５０ｎｍより長波長の近赤外領域に吸収のピークを有する、請求項１記載の赤外吸収印刷物。
【請求項３】
請求項１記載の赤外吸収印刷物に光を照射して、該印刷物に印刷形成されている所定の情報パターンを光学的に読み取る方法であって、
前記赤外印刷物に、情報パターンの構成部分に割り当てられている赤外吸収体の数と同数で、かつ、各赤外吸収体の赤外吸収ピーク波長と略同じ波長に発光のピークを有する光を順次照射し、
照射された光の波長領域に吸収を有する赤外吸収体で形成されている情報パターンの構成部分は他の構成部分と比較して赤外線の反射率が低いことを利用して、個々の赤外吸収体に対応する情報パターンの構成部分を順次読み取り、
これらの順次読み取られた構成部分を足し合わせて一つの情報パターンとして読み取ることを特徴とする赤外吸収印刷物の読み取り方法。
【請求項４】
順次読み取られた構成部分を足し合わせることによって読み取られた一つの情報パターンを、予め登録しておいた情報パターンと照合して、両者が一致したときにのみ前記読み取られた情報パターンを真と判定する、請求項３記載の赤外吸収印刷物の読み取り方法。
【請求項５】
赤外吸収印刷物として、情報パターンが所定のエリア内に形成されており、かつ当該エリアにおける情報パターンのネガとなる部分が、前記情報パターンの所定の構成部分に含まれている赤外吸収体とは赤外吸収ピーク波長の異なる赤外吸収体を含有したインクで形成された赤外吸収印刷物を使用し、
個々の赤外吸収体に対応する情報パターンの構成部分とネガとなる部分とを順次読み取って、これらの順次読み取られた部分を足し合わせ、
この足し合わせた結果として得られる領域が前記所定のエリアと一致したときは情報パターンを真と判定し、一致しないときは情報パターンを偽と判定する、請求項３記載の赤外吸収印刷物の読み取り方法。
【請求項６】
順次読み取られた構成部分を足し合わせて一つの情報パターンとした場合において、構成部分の重複があったときは偽の情報パターンと判定する、請求項３ないし５のいずれかに記載の赤外吸収印刷物の読み取り方法。
【発明の詳細な説明】
【技術分野】
【０００１】
本発明は、赤外吸収体を含有したインクを用いて所定の情報パターンを印刷形成した赤外吸収印刷物と、これに所定の光を照射して前記情報パターンを読み取る方法に関する。
【背景技術】
【０００２】
従来、偽造防止や秘密保持を図るため、赤外線に対して反射性を有する基材の一方もしくは両面に、赤外吸収体を含有したインクを用いて所定の情報パターンを印刷形成し、その上から、赤外線に対して透過性を有する有色（白色を含む）のインクを用いて前記情報パターンを隠蔽ないしカモフラージュする層を形成した赤外吸収印刷物が知られている。これによれば、基材上に印刷形成されている情報パターンを肉眼では直接読み取ることができず、これに光を照射して反射する赤外線の強度を赤外線カメラなどで光学的に検出しないかぎり、その情報を読み取ることができないため、通常のインクで可視の情報パターンを形成した場合に比べてセキュリティ性を高めることができる。
【０００３】
このような赤外吸収印刷物においては、赤外吸収体として例えばカーボンブラックを用いることができるが、カーボンブラックは、広波長領域において光に対する良好な吸収特性を示すものの、特定の波長に強い吸収を有するものではなく、また隠蔽性も非常に悪い。
【０００４】
そこで、特許文献１では、基材の一方の面側に赤外吸収層を形成し、この赤外吸収層の一方または他方の面側に可視光で視認できるカモフラージュパターン層を形成した赤外吸収印刷物において、平面視で前記赤外吸収層を赤外吸収特性の異なる第１の領域と第２の領域とに分け、第１の領域および第２の領域を、可視光下において視認困難な色調を有する構成とすること等が提案されている。そこでは、赤外吸収特性の異なる第１の領域（第１印刷層）と第２の領域（第２印刷層）とにより赤外吸収画像を形成した場合に、印刷濃度および印刷精度の僅かな違いにより可視光下で赤外吸収画像パターンを認識できたとしても、第１印刷層および第２印刷層のほかにカモフラージュパターン層を形成することで、可視光下における赤外吸収画像パターンの隠蔽性を高めることができるとされている（同文献１中の段落番号００１２参照）。なお、この特許文献１記載の技術によれば、例えば、可視光下では第１および第２の領域ともに黒に見えるが赤外線カメラ等を介して見ると一方の領域が黒で他方の領域が白に見えるといった印刷物を実現することができる。
【０００５】
【特許文献１】特開平１０−２４４７４７号公報（段落番号００１１〜００１６、段落番号００５８など）
【発明の開示】
【発明が解決しようとする課題】
【０００６】
上述したように、特許文献１記載の赤外吸収印刷物によれば、平面視で赤外吸収層が赤外吸収特性の互いに異なる第１の領域と第２の領域とで構成され、しかもこれらの領域を可視光下で互いに区別することが困難、つまり視認困難とされているだけでなく、さらにその上からカモフラージュパターン層が形成されているため、第１の領域と第２の領域とにより形成される赤外吸収画像パターン（情報パターン）の可視光下における隠蔽性を高めることができる。
【０００７】
しかしながら、この場合における第１および第２の両領域の赤外吸収特性の相違は、具体的には赤外吸収性顔料（赤外吸収体）の含有の有無あるいは濃度差によるとされているにすぎないため（同文献中の例えば段落番号００１８や段落番号００２５参照）、可視光では視認困難であった赤外画像情報パターンが、その赤外吸収特性に見合った赤外線を含んだ一種類の光のみを照射すれば、赤外線カメラなどの光学装置を用いて比較的簡単に読み取られてしまうという難点がある。
【０００８】
また、特許文献１には、赤外吸収画像パターンを読み取る方法として、赤外領域に所定のピーク発光波長を有する一種類のＬＥＤを光源とし、カメラレンズに可視光カットフィルタを備えた赤外線カメラを用いて、第１の領域（第１印刷層）と第２の領域（第２印刷層）とからなる赤外吸収画像パターンの全体を一度に読み取る方法が記載されているが（段落番号００５８）、このような方法では、読み取られた赤外吸収画像パターンが本物（真）であるか偽物（偽）であるかまでは判定できない。すなわち、印刷物に一種類の赤外線を照射した際にその反射光の強弱に基づいて赤外線カメラが読み取った赤外吸収画像パターンの形状が同じであれば、それが偽の赤外吸収画像パターンであったとしても、全体の形状から判断する限りは得られた赤外吸収画像パターンを本物であると判断せざるを得ない。
【０００９】
本発明は、このような問題に対処するもので、赤外吸収体を含有したインクを用いて所定の情報パターンを印刷形成した赤外吸収印刷物およびその読み取り方法として、第三者による情報パターンの読み取りが比較的困難で、しかも情報パターンの読み取りと同時にその真贋（真偽）をも判定できる赤外吸収印刷物およびその読み取り方法を提供することを目的とする。
【課題を解決するための手段】
【００１０】
上記の目的を達成するため、本願請求項１に係る発明は、赤外線に対して反射性を有する基材の一方もしくは両面に、赤外吸収体を含有したインクを用いて所定の情報パターンを印刷形成してなる赤外吸収層と、この赤外吸収層の存在が目視困難となるように該赤外吸収層の上に赤外線透過性を有するインクを用いて印刷形成された赤外透過層とを有する赤外吸収印刷物において、この印刷物の表面側もしくは裏面側から見て（つまり平面視で）、前記情報パターンを形成している所定の構成部分ごとに、含まれている赤外吸収体の赤外吸収ピーク波長が異なっている構成としたものである。言い換えると、赤外吸収層において、情報パターンを形成している所定の構成部分ごとに、赤外吸収ピーク波長の異なる赤外吸収体を用いることとしたものである。
【００１１】
この場合において、赤外吸収層中に含まれている赤外吸収体は、いずれも７５０ｎｍより長波長の近赤外領域に吸収のピークを有するものが好ましい（請求項２）。これは、一般に人間の目では見えない波長領域（不可視領域）は７５０ｎｍあたりからであることから、７５０ｎｍ以上の波長領域に吸収のピークを有する吸収体を用いることで、光の反射率の違いを不可視なものとすることができるからである。また近赤外線領域、つまり不可視領域の幅を有効に活用するため、該不可視領域の下端領域まで含むこととした。
【００１２】
本願請求項３に係る発明は、請求項１記載の赤外吸収印刷物に光を照射して、該印刷物に印刷形成されている所定の情報パターンを光学的に読み取る方法として、次のように構成したものである。
【００１３】
すなわち、前記赤外印刷物に、情報パターンの構成部分に割り当てられている赤外吸収体の数と同数で、かつ、各赤外吸収体の赤外吸収ピーク波長と略同じ波長に発光のピークを有する光を順次照射し、照射された光の波長領域に吸収を有する赤外吸収体で形成されている情報パターンの構成部分は他の構成部分と比較して赤外線の反射率が低いことを利用して、個々の赤外吸収体に対応する情報パターンの構成部分を順次読み取り、これらの順次読み取られた構成部分を足し合わせて一つの情報パターンとして読み取る。
【００１４】
この方法によれば、情報パターンの構成部分ごとに割り当てられている赤外吸収体の赤外吸収ピーク波長と略同じ波長に発光のピークを有する光を順次照射して赤外線カメラなどの光学装置で情報パターンの各構成部分を順次正確に読み取り、それらを足し合わせない限りは一つの情報パターンとして読み取れないから、情報パターンの構成部分ごとに割り当てた赤外吸収体の光学特性やその割り当て方を知らない第三者は、情報パターンを簡単に読み取ることができない。
【００１５】
本願請求項４に係る発明は、上記のようにして順次読み取られた構成部分を足し合わせることによって得られた一つの情報パターンを、予め登録しておいた情報パターンと照合して、両者が一致したときにのみ真の情報パターンと判定するものである。この場合の情報パターンの登録や、読み取った情報パターンとの照合は、例えば、所要の光源や赤外線カメラなどの光学装置を備えた、あるいはこれらの光学装置と組み合わされて使用される、メモリー、制御用のチップ、制御ソフトなどを組み込んだ情報パターン読み取り装置において行うことができる。
【００１６】
この方法によれば、情報パターンの所定の構成部分ごとに、対応する光を順次照射して全ての構成部分を正確に読み取り、しかも、これらを足し合わせた結果得られる一つの情報パターンが予め登録された情報パターンと一致しない限りは真の情報パターンと判定されないから、読み取られた情報パターンの真贋判定は容易に行えることになる。
【００１７】
本願請求項５に係る発明は、情報パターンが所定のエリア内に形成されており、かつ当該エリアにおける情報パターンのネガとなる部分が、前記情報パターンの所定の構成部分に含まれている赤外吸収体とは赤外吸収ピーク波長の異なる赤外吸収体を含有したインクで形成された赤外吸収印刷物の読み取りに、前記請求項３記載の読み取り方法を適用する場合に関するものである。この場合は、個々の赤外吸収体に対応する情報パターンの構成部分（ポジとなる部分）とネガとなる部分とを順次読み取って、これらの順次読み取られた部分を足し合わせ、この足し合わせた結果として得られる領域が前記所定のエリアと一致したときは情報パターンを真と判定し、一致しないときは情報パターンを偽と判定する。
【００１８】
この方法によれば、情報パターンの所定の構成部分（ポジとなる部分）およびネガとなる部分ごとに、対応する光を順次照射して全ての部分を正確に読み取り、しかも、これらを足し合わせた結果として得られる領域が前記所定のエリアと一致しない限りは真の情報パターンと判定されないから、例えば情報パターンの所定の構成部分、つまりポジとなる部分を不正な手段により本物と同様に形成できたとしても、同時にネガとなる部分も所定の光学特性を有する赤外吸収体を含有したインクを用いて正確に形成されていない限りは、本物の情報パターンであると判定されない、つまり偽物の情報パターンであると判定されることになる。こうして読み取った情報パターンの真贋判定を容易に行うことができる。
【００１９】
本願請求項６に係る発明は、上記のような赤外吸収印刷物の読み取り方法において、順次読み取られた構成部分を足し合わせて一つの情報パターンとした場合に、構成部分の重複があったときは偽の情報パターンと判定するものである。
【００２０】
この方法によれば、例えば、赤外領域の広い範囲で吸収を示す赤外吸収インクを用いて本物の情報パターンと同様の平面形状を有する偽物の情報パターンが形成されているような場合には、順次読み取られた構成部分を足し合わせて一つの情報パターンとする際に構成部分の重複が生じることとなるから、読み取られた情報パターンが本物でない、つまり偽物であると容易に判別できる。こうして読み取った情報パターンの真贋判定をさらに厳密に行うことが可能となる。
【発明の効果】
【００２１】
本発明の赤外吸収印刷物によれば、赤外吸収層の情報パターンを形成している所定の構成部分ごとに赤外吸収ピーク波長の異なる赤外吸収体が用いられているので、請求項３ないし６に記載したような方法で、各赤外吸収体に対応する光を順次照射して赤外線カメラ等の光学装置で情報パターンの構成部分の全てを読み取らない限り、そこに印刷されている情報パターンを正しく認識することができない。こうして第三者による情報パターンの読み取りが比較的困難な赤外吸収印刷物およびその読み取り方法を実現できる。
【００２２】
また、特に請求項４ないし６に係る発明によれば、順次読み取った構成部分を足し合わせた結果として得られる情報パターンと予め登録しておいた情報パターンとの一致、順次読み取られた情報パターンの構成部分とネガとなる部分とを合わせた領域と所定のエリアとの一致、順次読み取った情報パターンの構成部分において重複がないこと、といった所定の条件を満たさない限りは、読み取った情報パターンが本物であるとは判定されず、偽物の情報パターンであると判定されることになる。こうして、赤外吸収印刷物に形成された情報パターンの読み取りのみならず、真贋をも判定することができる。
【発明を実施するための最良の形態】
【００２３】
本発明方法は、一次元バーコードのような比較的単純な情報パターンについてその読み取りと真偽を判定する手段として用いることができるのはもとより、一次元バーコードよりも更に多くの情報を持たせることのできる二次元のコード（例えばＱＲコード）やマークなどの比較的複雑な情報パターンの読み取り・真偽判定作業にも好適に用いることができる。
【００２４】
本発明方法によって読み取られるべき情報パターンは、赤外線反射性を有する基材上に、赤外吸収体を含有したインクを用いて記録されるものであるが、この場合のインクに用いる赤外吸収体としては、波長７５０ｎｍ以上の波長領域に吸収のピークを有するもの、特に波長７５０〜１３００ｎｍの近赤外領域に吸収のピークを有するものが好ましい。このような赤外吸収体（赤外吸収色素）としては、例えば、ナフタロシアニン系、フタロシアニン系、シアニン系、ジイモニウム系等の色素が挙げられる。中でもナフタロシアニン系の色素は耐光性の点で有効なものであるため好ましいが、これに限るものではない。
【００２５】
また、赤外透過層形成用のインクとしては、例えば、通常のオフセットやシルク印刷などで用いられるプロセスカラーのインク（Ｃ，Ｍ，Ｙ，Ｋ色）が挙げられる。この場合のインクはノンカーボン製であることを要するが、それ以外は特に限定されない。ノンカーボン製のインクを用いる理由は、カーボンブラックを含んだインクは近赤外領域においてピークをもたず、光をほとんど吸収してしまうためである。
【００２６】
本発明の赤外吸収印刷物に用いられる赤外線反射性の基材としては、例えば白紙、プラスチックフィルムに白色印刷したもの等を挙げることができる。この場合のプラスチックフィルムとしては、ポリプロピレン（ＰＰ）、ポリ塩化ビニル（ＰＶＣ）、ポリエチレンテレフタレート（ＰＥＴ）、合成紙などが挙げられる。完成品の用途によりそれぞれ紙・フィルムの優位性があると考えられ一概にはどれが良いとは言えないが、後述する本発明実施例では安価な点や扱いやすさなどから白紙を選択した。
【実施例】
【００２７】
以下、本発明の実施例について説明する。
《赤外吸収印刷物α》
図１および図２に示すように、赤外線反射性を有する基材（北越製紙社製；Ｎ−Ｗ３６０ｇ／ｍ2 ）２上に、情報パターンＰをＡ，Ｂ領域に分けて、吸収領域の異なる赤外線吸収インク（赤外吸収体を含有したインク）でＡ，Ｂそれぞれを割当ててオフセット印刷した。このとき、Ａの領域には９２５ｎｍに吸収ピークを有するインクを割り当て、Ｂの領域には７５０ｎｍに吸収ピークを有するインクを割当てた。そして、これらＡ，Ｂ領域からなる赤外吸収層３の上から、赤外線に透過性を有するプロセスカラーインクで任意のデザイン印刷を施して赤外透過層４を形成した。このようにして作製された赤外吸収印刷物αにおいては、目視により情報パターンＰを確認することは困難であった。
【００２８】
なお、赤外吸収印刷物αに使用した赤外線吸収インクおよびプロセスカラーインクの具体的内容については、それぞれ下記の通りである。
【００２９】
『Ａ、Ｂ領域に割り当てた赤外吸収インクに使用した赤外吸収色素』
Ａ領域：山本化成社製、ＹＫＲ−５０１０（ナフタロシアニン系色素）
Ｂ領域：山陽色素社製、ＮＣ５０１（ナフタロシアニン系色素）
【００３０】
『各赤外吸収インク（２種類）の製造方法』
赤外吸収色素５重量部とＵＶ樹脂（ＴＯＫＡ社製：ＵＶ１６１メジウムＳ）９５重量部をビーズミルで１０分、分散を行い赤外吸収インクとした。
【００３１】
『プロセスカラーインク』
藍・紅・黄：ＴＯＫＡ社製、ベストキュアーＵＶ  １６１  Ｓシリーズ
黒：ＴＯＫＡ社製、ベストキュアーＵＶ  ＮＶＲシリーズ
【００３２】
《赤外吸収印刷物β》
図３および図４に示すように、赤外線反射性を有する基材（北越製紙社製；Ｎ−Ｗ３６０ｇ／ｍ2 ）２上に、情報パターンＰをＡ，Ｂ，Ｃ領域に分けて、吸収領域の異なる赤外線吸収インクでＡ，Ｂ，Ｃそれぞれを割当ててオフセット印刷した。このとき、Ａの領域には１０７０ｎｍに吸収ピークを有するインクを割り当て、Ｂの領域には８７０ｎｍ（シアニン系）に吸収ピークを有するインクを割り当て、Ｃには７５０ｎｍに吸収ピークを有するインクを割り当てた。そして、これらのＡ，Ｂ，Ｃ領域からなる赤外吸収層３の上から赤外線に透過性を有するプロセスカラーインクで任意のデザイン印刷を施して赤外透過層４を形成した。これにより、情報パターンＰを目視困難なものとすることができた。このようにして作製された赤外吸収印刷物βにおいては、目視により情報パターンＰを確認することは困難であった。
【００３３】
なお、赤外吸収印刷物βに使用した赤外線吸収インクにおける赤外吸収色素は、下記の通りである。また、各赤外線吸収インクの製造方法およびプロセスカラーインクの具体的内容については、上述した赤外吸収印刷物αの場合と同様である。
【００３４】
『Ａ、Ｂ、Ｃ領域に割り当てた赤外吸収インクに使用した赤外吸収色素』
Ａ領域：日本カーリット社製、ＣＩＲ−１０８５（ジイモニウム系色素）
Ｂ領域：住友精化社製、ＳＤ５０−Ｅ０４Ｎ（シアニン系色素）
Ｃ領域：山陽色素社製、ＮＣ５０１（ナフタロシアニン系色素）
【００３５】
《情報パターンの読み取り》
先の赤外吸収印刷物βを読み取り対象物とし、その情報パターンの読み取りを試みた。この場合に使用した情報パターン読み取り装置は、図５に示すように、ＣＣＤカメラ（ＫＥＹＥＮＣＥ社製；ＣＶ−０２０）１０と、これのカメラレンズ前面に取り付けられた赤外透過フィルター（朝日分光社製；ＬＩ０７５０、これの分光特性を図６に示す）１１と、発光中心波長が７５０ｎｍ、８７０ｎｍ、９１０ｎｍ、１０７０ｎｍのＬＥＤ１２，１３，１４を光源としてそれぞれバンドパスフィルター（ＩＲ  ＳＹＳＹＴＥＭ社製；中心波長７５０、８７０、９１０、１０６９ｎｍ）１５，１６，１７を備えた光源ユニットと、ＣＣＤカメラ１０からの画像信号が入力されるパーソナルコンピュータ（ＰＣ）からなるデータ処理装置２０と、このデータ処理装置２０から出力される信号に基づいて画像データや判定データ等を画面上に表示するモニタ（表示手段）２１とを有する構成である。
【００３６】
ここで、データ処理装置２０には、赤外吸収印刷物βに印刷形成される正規の情報パターンが予め登録される演算部２０ａと、この演算部２０ａからの出力に基づいて後述するような判定処理を行う判定部２０ｂと、この判定部による判定結果をモニタ１６等に出力する出力部２０ｃ等が備えられている。
【００３７】
このような構成を有する情報パターン読み取り装置を使用し、赤外吸収印刷物βを読み取り対象物として、それぞれのＬＥＤ１２，１３，１４を順次パルス点灯させ、それと同期してＣＣＤカメラ１０からの画像を読み取った。その結果、中心波長７５０ｎｍ，８７０ｎｍ，１０７０ｎｍの各ＬＥＤ１２，１３，１４からの光照射時において、それと対応する吸収ピークを有する赤外吸収インクのパターン、すなわち領域Ｃ, Ｂ, Ａの各パターンを、この順に十分なコントラストで順次読み取ることができた。
【００３８】
《情報パターンの真贋判定》
（判定例１）
上記の赤外吸収印刷物βおよび読み取った画像を用いて、そこに形成されている情報パターン（図３および図４に示した領域Ａ, Ｂ, Ｃからなる情報パターンＰ）の真贋判定を次のようにして行った。
【００３９】
赤外吸収印刷物βに印刷形成される正規の情報パターンを予めデータ処理装置２０の演算部２０ａに登録しておく。その上で、中心波長７５０ｎｍ，８７０ｎｍ，１０７０ｎｍの各ＬＥＤ１２，１３，１４からの照射時に読み取った画像（情報パターンの一部、つまり領域Ｃ, Ｂ, Ａの各パターン）をそれぞれ重ね合わせる。ここで重ね合わせる全ての画像に重複部がなければ判定部２０ｂによりその印刷物は画像演算部上で正規なものと識別し、逆に重複部があればそれは偽物として識別される。先の赤外吸収印刷物βでは重複部は存在せず、正規なものと識別された。
【００４０】
（判定例２）
演算部２０ａに予め登録された情報パターンと同一のパターンをコピー機で白黒印刷し、上記の実施例と同様にして、光源である各ＬＥＤから発せられた光を順次照射し、それぞれの光源での画像を読み取ったところ、全ての照射光で情報パターンの全エリアが読み取られ、演算部２０ａ上でそれらの重ね合わせ処理を行った。その結果、読み取り画像全てが重複し、判定部２０ｂにより偽物と識別された。
【００４１】
（判定例３）
８７０ｎｍに吸収ピークを有するインクで情報パターンを形成し、情報パターンではないネガとなるパターン部分に１０７０ｎｍに吸収ピークを有するインクで印刷を行い、赤外吸収印刷物γを得た。一方、この赤外吸収印刷物γの８７０ｎｍに吸収ピークを有するインクで形成された情報パターンを正規なパターンとして予めデータ処理装置２０の演算部２０ａに登録しておく。この場合、演算部２０ａ上では、正規な情報パターンは決められたエリア内に存在するものとし、そのエリアは情報パターンとそのネガパターンとを足し合わせた大きさとする。また、照射する光に例えば波長７５０ｎｍの光と波長８７０ｎｍの光で得られる画像は情報パターンと認識させ、波長９１０ｎｍの光と１０７０ｎｍの光で得られる画像はネガパターンと認識させておく。
【００４２】
このようにした上で、赤外吸収印刷物γに発光中心波長が７５０ｎｍ、８７０ｎｍ、９１０ｎｍ、１０７０ｎｍの光を順次照射して、それぞれ画像を読み取った。その結果、８７０ｎｍと１０７０ｎｍの光を照射した時に情報パターンとそのネガパターンを得た。こうして読み取った画像を足し合わせ、その結果が予め登録されている情報パターンのポジとネガパターンの足し合わせた大きさと等しいものであれば正規（本物）の印刷物と識別し、そうでなければ偽物と識別する。このようにした結果、赤外吸収印刷物γでは正規の印刷物と識別された。
【図面の簡単な説明】
【００４３】
【図１】本発明の実施例で作製した赤外吸収印刷物の一例を模式的に示す平面図。
【図２】図１のII−II線で切断して赤外線吸収印刷物の層構成を模式的に示す縦断面図。
【図３】本発明の実施例で作製した赤外吸収印刷物の他の例を模式的に示す平面図。
【図４】図３のIV−IV線切断して赤外線吸収印刷物の層構成を模式的に示す縦断面図。
【図５】本発明の実施例で使用した情報パターン読み取り装置で使用の構成を概略的に示す構成図。
【図６】本発明の実施例で使用した情報パターン読み取り装置において、ＣＣＤカメラに装着した赤外透過フィルター（朝日分光社製；ＬＩ０７５０）の分光特性を示す図。
【符号の説明】
【００４４】
２  基材
３  赤外吸収層
４  赤外透過層
Ａ, Ｂ  情報パターンの構成部分（情報パターンを構成する領域）
α, β  赤外吸収印刷物
Ｐ  情報パターン
【図１】
2006213017.tif 000003
【図２】
2006213017.tif 000004
【図３】
2006213017.tif 000005
【図４】
2006213017.tif 000006
【図５】
2006213017.tif 000007
【図６】
2006213017.tif 000008